(57)【特許請求の範囲】
【請求項１】
表面に蛍光体材料を備えるホイール基板と、
前記ホイール基板を回転させる駆動部と、
前記駆動部を支持し、筐体に固定される支持部と、
前記支持部と前記筐体の一部との間の空間を充填するように設けられる緩衝部材と、
からなる、蛍光体ホイール。
【請求項２】
前記緩衝部材は、前記支持部と前記筐体の一部との対向する方向に、異なる硬度のシート部材が複数積層されてなり、
前記シート部材のうち、前記支持部に接する第１のシート部材は、当該第１のシート部材に対して前記支持部と反対側において接する第２のシート部材よりも柔らかい、請求項１に記載の蛍光体ホイール。
【請求項３】
前記支持部は、前記ホイール基板に対して光源からの光を導入させるレンズ部材を支持するレンズ支持部と一体に形成されている、請求項１または２に記載の蛍光体ホイール。
【請求項４】
前記緩衝部材は、前記駆動部の回転軸方向であって、前記ホイール基板と反対側に設けられる、請求項１〜３のいずれか１項に記載の蛍光体ホイール。
【請求項５】
光源と、
前記光源から出射された光が照射されて異なる波長域の蛍光発光光を出射する蛍光体材料を備える蛍光体ホイールと、
を備え、
前記蛍光体ホイールは、
表面に前記蛍光体材料を備えるホイール基板と、
前記ホイール基板を回転させる駆動部と、
前記駆動部を支持し、筐体に固定される支持部と、
前記支持部と前記筐体の一部との間の空間を充填するように設けられる緩衝部材と、
からなる、光源ユニット。
【請求項６】
光源と、前記光源から出射された光が照射されて異なる波長域の蛍光発光光を出射する蛍光体材料を備える蛍光体ホイールと、を備える光源ユニットと、
前記光源ユニットから発せられた光束に基づき形成される画像を投影面上へ投射する光学系と、
からなり、
前記光源ユニットの前記蛍光体ホイールは、
表面に前記蛍光体材料を備えるホイール基板と、
前記ホイール基板を回転させる駆動部と、
前記駆動部を支持し、筐体に固定される支持部と、
前記支持部と前記筐体の一部との間の空間を充填するように設けられる緩衝部材と、
からなる、画像表示装置。
【発明の詳細な説明】
【技術分野】
【０００１】  本開示は、蛍光体ホイール、光源ユニットおよび画像表示装置に関する。
【背景技術】
【０００２】  近年、スクリーン等の投影面上に投射画像を表示する画像表示装置として、プロジェクター装置が広く知られている。プロジェクター装置が使用される場面は、オフィスから家庭へと広がり、その表示形式もＣＲＴ方式、液晶方式、ＤＬＰ方式、ＬＣＯＳ方式等と様々にある。【０００３】  このようなプロジェクター装置は、モータ等の各種駆動部を備える。例えば、光源からの光を透過特性に応じて分光するカラーホイールや、特定の波長域の光を照射すると当該光とは異なる波長域の光を発光する蛍光体材料が設けられた蛍光体ホイール等を回転されるモータ等がある。このような駆動部の駆動により振動が発生すると、プロジェクター装置からノイズが発生することもある。このため、駆動部に起因するノイズの除去が検討されている。【０００４】  例えば、特許文献１には、カラーホイールを駆動するモータと、光学ユニットに固定される取り付け板との間に、板金部材を設けたカラーホイール装置が開示されている。特許文献１では、板金部材によってカラーホイール装置の重量を増すことで振動を抑制している。また、例えば特許文献２には、軸流ファンの吸引側と吐出側との筒状フレームに、防振スポンジを介在させたファン保持構造が開示されている。
【先行技術文献】
【特許文献】
【０００５】
【特許文献１】特開２００９−２６５１３７号公報
【特許文献２】特開２００８−１９０４３４号公報
【発明の概要】
【発明が解決しようとする課題】
【０００６】  しかし、上記特許文献１では、モータは取り付け板に片持ち状態で支持されており、モータの振動は光学ユニット等に伝わりやすい。また、上記特許文献２に記載の技術は、カラーホイールや蛍光体ホイール等には適用は難しい。【０００７】  そこで、本開示では、ホイールを回転駆動する駆動部に起因する振動を抑制し、高周波数帯域のノイズを低減させることが可能な、新規かつ改良された蛍光体ホイール、光源ユニットおよび画像表示装置を提案する。
【課題を解決するための手段】
【０００８】  本開示によれば、表面に蛍光体材料を備えるホイール基板と、ホイール基板を回転させる駆動部と、駆動部を支持し、筐体に固定される支持部と、支持部と筐体の一部との間の空間を充填するように設けられる緩衝部材と、からなる、蛍光体ホイールが提供される。【０００９】  また、本開示によれば、光源と、光源から出射された光が照射されて異なる波長域の蛍光発光光を出射する蛍光体材料を備える蛍光体ホイールと、を備え、蛍光体ホイールは、表面に蛍光体材料を備えるホイール基板と、ホイール基板を回転させる駆動部と、駆動部を支持し、筐体に固定される支持部と、支持部と筐体の一部との間の空間を充填するように設けられる緩衝部材と、からなる、光源ユニットが提供される。【００１０】  さらに、本開示によれば、光源と、光源から出射された光が照射されて異なる波長域の蛍光発光光を出射する蛍光体材料を備える蛍光体ホイールと、を備える光源ユニットと、光源ユニットから発せられた光束に基づき形成される画像を投影面上へ投射する光学系と、からなり、光源ユニットの蛍光体ホイールは、表面に蛍光体材料を備えるホイール基板と、ホイール基板を回転させる駆動部と、駆動部を支持し、筐体に固定される支持部と、支持部と筐体の一部との間の空間を充填するように設けられる緩衝部材と、からなる、画像表示装置が提供される。
【発明の効果】
【００１１】  以上説明したように本開示によれば、ホイールを回転駆動する駆動部に起因する振動を抑制し、高周波数帯域のノイズを低減させることができる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の実施形態に係る光源ユニットを備える画像表示装置の一構成例を示す概略構成図である。
【図２】同実施形態に係る光源ユニットの一構成を示す概略斜視図である。
【図３】同実施形態に係る光源ユニットの光源部の一構成を示す概略平面図である。
【図４】筐体に収容された状態の本実施形態に係る蛍光体ホイールを示す斜視図である。
【図５】本実施形態に係る蛍光体ホイールの構成を示す部分拡大斜視図である。
【図６】同実施形態に係る蛍光体ホイールの側面図である。
【図７】同実施形態に係る蛍光体ホイールの平面図である。
【図８】緩衝部材の一構成例を示す説明図である。
【発明を実施するための形態】
【００１３】  以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】  なお、説明は以下の順序で行うものとする。  １．画像表示装置の構成  ２．光源ユニットの構成  ３．光源部のノイズ低減  ４．まとめ
【００１５】  ＜１．画像表示装置の構成＞  まず、図１を参照して、本開示の実施形態に係る光源ユニット１０を備える画像表示装置１の一構成例について説明する。図１は、本実施形態に係る光源ユニット１０を備える画像表示装置１の一構成例を示す概略構成図である。
【００１６】  本実施形態に係る画像表示装置１は、光を発する光源からの光を集め、画像を表示させるデバイスを通して投影レンズから光を出射し、スクリーンＳ等の表示面に画像を投影するプロジェクターの一構成例を示している。図１に示す画像表示装置１は、マイクロディスプレイとして３ＬＣＤを用いたプロジェクターの一構成例である。
【００１７】  光源ユニット１０から出射された光は、表示画像の端部まで明るさを維持するように第１レンズアレイ２ａおよび第２レンズアレイ２ｂからなるインテグレータレンズ２を通過した後、偏光変換素子３ａ、集光レンズ３ｂを通過し、波長域毎に分離される。
【００１８】  集光レンズ３ｂを通過した光は、赤色の波長域の光のみを反射し、その他の波長域の光を通過させる第１反射ダイクロイックミラー４ａに入射する。これにより、赤色の波長域の光は第１反射ダイクロイックミラー４ａにより反射されて反射ミラー５ａ側へ進行する。赤色の波長域の光は、反射ミラー５ａによりさらに反射されて赤色用液晶パネル６ａに入射する。
【００１９】  第１反射ダイクロイックミラー４ａを通過したその他の波長域の光は第２反射ダイクロイックミラー４ｂへ入射する。第２反射ダイクロイックミラー４ｂは、緑色の波長域の光のみを反射し、その他の波長域の光、すなわち青色の波長域の光を通過させる。第２反射ダイクロイックミラー４ｂにより反射された緑色の波長域の光は緑色用液晶パネル６ｂに入射する。また、第２反射ダイクロイックミラー４ｂを通過した青色の波長域の光は、反射ミラー５ｂ、５ｃにより反射された後、青色用液晶パネル６ｃへ入射する。
【００２０】  各色用の液晶パネル６ａ〜６ｃは、入力画像信号に応じてそれぞれに入射した光を変調し、ＲＧＢに対応する画像の信号光を生成する。液晶パネル６ａ〜６ｃには、例えば高温ポリシリコンＴＦＴを用いた透過型液晶素子を使用してもよい。各液晶パネル６ａ〜６ｃにより変調された信号光は、ダイクロイックプリズム７に入射され、合成される。ダイクロイックプリズム７は、赤色の信号光および青色の信号光を反射し、緑色の信号光を透過させるように、４つの三角柱を組み合わせた直方体に形成されている。ダイクロイックプリズム７により合成された各色の信号光は投射レンズ８へ入射されて、スクリーンＳ等の表示面に画像として投影される。
【００２１】
画像表示装置１において、液晶パネル６ａ〜６ｃおよびダイクロイックプリズム７は入射された光を変調して合成する光変調合成系として機能するものである。また、インテグレータレンズ２、偏光変換素子３ａ、集光レンズ３ｂ、反射ダイクロイックミラー４ａ、４ｂ、反射ミラー５ａ〜５ｃは、光変調合成系を構成する液晶パネル６ａ〜６ｃに光源ユニット１０からの光を導く照明光学系として機能するものである。そして、投射レンズ８は、ダイクロイックプリズム７から出射された画像を投射する投射光学系として機能するものである。
【００２２】  ＜２．光源ユニットの構成＞  このような画像表示装置１の光源ユニット１０として、本技術では蛍光体材料に対して固体光源から光を照射し、蛍光発光した光を利用する光源装置を用いる。光源ユニット１０の一構成例について、図２および図３に基づき説明する。なお、図２は、本実施形態に係る光源ユニット１０の一構成を示す概略斜視図である。図３は、本実施形態に係る光源ユニット１０の光源部１０Ａの一構成を示す概略平面図である。
【００２３】  本実施形態に係る光源ユニット１０は、図２に示すように、光を出射する光源部１０Ａと、光源部１０Ａを冷却する冷却部１０Ｂとからなる。本実施形態において、光源部１０Ａは、図３に示すように、蛍光体材料を用いた反射型の光源装置である。
【００２４】  図３に示すように、本実施形態に係る光源部１０Ａは、光源として、第１の光源１０２と、第２の光源１０４とを備える。なお、図３では、第１の光源１０２および第２の光源１０４はそれぞれ１つのみ記載しているが、本開示はかかる例に限定されない。第１の光源１０２および第２の光源１０４の数は、１つでもよく複数でもよい。第１の光源１０２は、蛍光体材料に対する照射用（励起用）の光源であり、例えばレーザを用いてもよい。第１の光源１０２は波長を変換する蛍光体材料（図４の符号１５２）を効率よく発光させるためのものであり、本実施形態では青色波長域のレーザを使用している。蛍光体材料としては、例えばＹＡＧ系の蛍光体材料を用いる。
【００２５】  第２の光源１０４は、第１の光源１０２と蛍光体材料による蛍光発光光とで不足する色の波長域の光を出射する。本実施形態では、第２の光源１０４は青色波長域の光を出射するレーザを用いている。
【００２６】
第１の光源１０２から出射された光は、レンズ１１２、１１３を介して、光源部１０Ａを構成する第１のダイクロイックミラー１２２に入射する。第１の光源１０２から第１のダイクロイックミラー１２２に入射した光は、レンズ１４２、１４３（図７参照）を介して、ホイール基板１５１に設けられた蛍光体材料１５２に照射され、２つの波長域の光とされる。レンズ１４２、１４３は、第１の光源１０２と同一光路上に配置され、第１の光源１０２とレンズ１４２との間に第１のダイクロイックミラー１２２が配置される。第１のダイクロイックミラー１２２は、例えば第１の光源１０２とレンズ１４２、１４３との間の光路に対して約４５°の傾斜を有して設けられる。また、レンズ１４２、１４３による集光が蛍光体材料１５２上に行われるように蛍光体材料１５２は配置される。このとき、ホイール基板１５１の冷却性能を高めるために、レンズ１４３による集光はホイール基板１５１の中心付近よりも周縁部近くに行われるのがよい。
【００２７】  第１の光源１０２から出射された光は、第１のダイクロイックミラー１２２の第１面１２２ａに入射する。第１のダイクロイックミラー１２２は、第１面１２２ａから入射する第１の光源１０２の光を透過させる。また、第１のダイクロイックミラー１２２は、当該第１のダイクロイックミラー１２２およびレンズ１４２、１４３を介して第１の光源１０２と対向して配置された蛍光体材料１５２による蛍光発光光および第１の光源１０２の反射光を第２面１２２ｂで反射する。第１の光源１０２から出射された光は、第１のダイクロイックミラー１２２を通過して、レンズ１４２、１４３により集光されて蛍光体材料１５２に照射される。
【００２８】  蛍光体材料１５２は、ＹＡＧ系の蛍光体材料であり、第１の光源１０２より青色波長域の光が照射されると、当該光を吸収し、青色波長域と異なる波長域の光を発光する。蛍光体材料１５２は、例えばアルミニウム等の金属からなる円板状のホイール基板１５１に塗布されている。蛍光体材料１５２は周縁部にのみ塗布されていてもよく、全面に塗布されていてもよい。
【００２９】  ホイール基板１５１は、その中心に設けられた回転軸１５５を回転中心として駆動部であるモータ１５４により回転される蛍光体ホイール１５０を構成している。これは、光の照射によりホイール基板１５１が熱を持ち、蛍光体材料１５２の発光効率が低下するのを防止するとともに、ホイール基板１５１と蛍光体材料１５２との接着に用いられる樹脂が溶けてしまうのを防止するための機構である。ホイール基板１５１を回転させ、蛍光体材料１５２を回転させることで、ホイール基板１５１の冷却性能を上げ、蛍光体材料１５２の発光効率を向上させることができる。
【００３０】  蛍光体材料１５２により発せられる蛍光発光光は、例えば黄色波長域の光であり、蛍光体材料１５２により吸収されずにホイール基板１５１により反射された青色波長域の光とともにレンズ１４３、１４２を通過して第１のダイクロイックミラー１２２の第２面１２２ｂへ入射される。その際、ホイール基板１５１の表面での青色波長域の光の反射の際に、偏光を回転させるもしくは乱す機能を設けておくことにより効率よく第１のダイクロイックミラー１２２で反射することができる。第１のダイクロイックミラー１２２は第２面１２２ｂに入射した蛍光発光光および反射光を、レンズ１４５側へ反射する。
【００３１】
一方、第２の光源１０４から出射された光は、レンズ１１４、１１５を介して、第２のダイクロイックミラー１２４に入射する。レンズ１１４、１１５は第２の光源１０４と同一光路上に順に配置され、その延長線上に第２のダイクロイックミラー１２４が配置される。第２のダイクロイックミラー１２４は、第２の光源１０４から入射された光を反射して、透過型ホイール１３０、レンズ１４４を介して、第１のダイクロイックミラー１２２へ入射させる。すなわち、第２のダイクロイックミラー１２４は、第２の光源１０４からの光の入射方向と、第１のダイクロイックミラー１２２、レンズ１４５の配置方向とが交差する位置に設けられる。このとき第２のダイクロイックミラー１２４は、例えば第１のダイクロイックミラー１２２と略対称に、第２の光源１０４、レンズ１１４、１１５の光路に対して約４５°の傾斜を有して設けられる。
【００３２】  第２のダイクロイックミラー１２４により反射された第２の光源１０４の光は、透過型ホイール１３０、レンズ１４４を介して、第１のダイクロイックミラー１２２へ入射される。そして、第２の光源１０４の光は、第１のダイクロイックミラー１２２を通過して、蛍光発光光および反射光からなる第１の光源１０２による出射光線上に合成される。合成された光は、レンズ１４５を介して、光源部１０Ａから出射される。
【００３３】  ＜３．光源部のノイズ低減＞  ここで、画像表示装置１は、冷却ファンや蛍光体ホイール、カラーホイール等を駆動するため、複数の駆動部が設けられている。画像表示装置１の使用時にこれらの駆動部が作動すると駆動音が発生する。駆動部の駆動音は、そもそもユーザがほとんど気にならない程度の音の大きさであったり、駆動部が密閉空間内に配置されて密閉空間から音が外部に漏れにくくなっていたりすることで、画像表示装置１のユーザに対して不快感を与えることは少ない。しかし、例えば密閉されていない空間に配置された駆動部等では、駆動音の振動音がノイズとなる可能性もある。
【００３４】  画像表示装置１の駆動部として、カラーホイールや蛍光体ホイール１５０を回転駆動させるモータがある。これらのモータからは、６０００Ｈｚ前後の高周波のモータノイズが発生することもある。高周波の音は、耳障りな音と感じられやすいため、低減させるのが望ましい。そこで、本実施形態に係る光源部１０Ａでは、蛍光体ホイール１５０のモータ１５４のノイズを低減させるために、モータ１５４の駆動時の振動が光源ユニット１０の筐体へ伝播されるのを抑制する緩衝部材１６０を設ける。以下、緩衝部材１６０を備える蛍光体ホイール１５０の構成と、緩衝部材１６０の機能について説明する。
【００３５】  図４〜図８に基づいて、本実施形態に係る緩衝部材１６０を備える蛍光体ホイール１５０の構成を説明する。なお、図４は、筐体に収容された状態の本実施形態に係る蛍光体ホイール１５０を示す斜視図である。図５は、本実施形態に係る蛍光体ホイール１５０の構成を示す部分拡大斜視図である。図６は、本実施形態に係る蛍光体ホイール１５０の側面図である。図７は、本実施形態に係る蛍光体ホイールの平面図である。図８は、緩衝部材１６０の一構成例を示す説明図である。
【００３６】  本実施形態に係る蛍光体ホイール１５０は、第１の光源１０２から入射された光を、蛍光体材料１５２によって所定の波長域の光として反射する部材である。蛍光体材料１５２は、ホイール基板１５１の、第１の光源１０２から光が入射される側の面の周縁部付近に、環状に設けられている。蛍光体ホイール１５０は、図４に示すように、蛍光体材料１５２が設けられたホイール基板１５１は、ホイール収容部１２ａ、１２ｂにより形成された空間内に配置されている。ホイール収容部１２ａ、１２ｂは対向する面が窪んだ部材であって、これらで円板形状のホイール基板１５１を挟み込み収容している。
【００３７】  ホイール収容部１２ａ、１２ｂには、レンズ支持部１２ｃが連結されている。レンズ支持部１２ｃは、蛍光体ホイール１５０の蛍光体材料１５２に入射され、また、反射される光が通過するレンズ１４２、１４３を支持する。レンズ支持部１２ｃは、図４および図７に示すように、レンズ１４２、１４３の光軸が蛍光体ホイール１５０の蛍光体材料１５２に対して直交するように、ホイール収容部１２ａ、１２ｂに固定される。
【００３８】  また、レンズ支持部１２ｃには、図５および図７に示すように、モータ１５４を支持するモータ支持部１２ｄが設けられている。モータ支持部１２ｄは、レンズ支持部１２ｃの一面からモータ１５４に向かって延設されている。このとき、モータ１５４は、モータ１５４の回転軸１５５がレンズ１４２、１４３の光軸に対して直交するように、モータ支持部１２ｄに支持される。
【００３９】  ここで、レンズ支持部１２ｃにより支持されているレンズ１４２、１４３と、蛍光体ホイール１５０の表面までの距離は、光源ユニット１０が出射する光の明るさに影響する。このため、光源ユニット１０における最適なレンズ１４２、１４３と蛍光体ホイール１５０との位置関係がくずれないように構成されるのが望ましい。本実施形態では、レンズ支持部１２ｃとモータ支持部１２ｄとを一体形成することで、レンズ１４２、１４３と蛍光体ホイール１５０を駆動するモータ１５４との位置関係を保持する。これにより、本実施形態に係る光源ユニット１０により出射される光の明るさを最適な状態とすることができる。
【００４０】  図４に示すようにホイール収容部１２ａ、１２ｂに収容された蛍光体ホイール１５０は、レンズ支持部１２ｃにより支持されたレンズ１４２、１４３と、モータ支持部１２ｄにより支持されたモータ１５４とともに、光源部１０Ａの筐体１４に固定される。
【００４１】  ここで、本実施形態に係る光源部１０Ａは、モータ支持部１２ｄにより支持されたモータ１５４と筐体１４との間に、緩衝部材１６０を備えている。図５には、ホイール収容部１２ａ、１２ｂを取り除いた状態の蛍光体ホイール１５０が示されている。上述したように、蛍光体ホイール１５０を回転駆動するモータ１５４は、レンズ１４２、１４３を支持するレンズ支持部１２ｃから延設されたモータ支持部１２ｄにより片持ち状態で支持されている。このため、モータ１５４の回転駆動によるモータ支持部１２ｄの振動は、モータ支持部１２ｄが仮に両側から支持されている場合よりも大きくなる。モータ支持部１２ｄの振動は、レンズ支持部１２ｃ、さらには筐体１４へ伝播する。また、蛍光体ホイール１５０のモータ１５４は、高周波のノイズを発することが多く、この高周波の音は、モータ支持部１２ｄから、レンズ支持部１２ｃ、筐体１４へと伝播する過程において増幅されていく。
【００４２】  そこで、本実施形態に係る光源部１０Ａでは、図５に示すように、モータ支持部１２ｄに支持されたモータ１５４の背面側（ホイール基板１５１が設けられる回転軸と反対側）と、これと対向する筐体１４との間に、緩衝部材１６０を配置する。これにより、モータ１５４のノイズが光源部１０Ａの筐体１４へ伝播し、高周波の音が増幅されるのを防止する。
【００４３】  緩衝部材１６０は、ゴムやスポンジ等の衝撃吸収性のある材料から形成され、モータ１５４の背面側と、これと対向する筐体１４との間を充填する部材である。緩衝部材１６０を設けることで、モータ１５４のノイズが緩衝部材１６０により吸収され、ノイズが筐体１４に伝播して増幅されるのを抑制する。
【００４４】  本実施形態に係る緩衝部材１６０は、図８に示すように、硬さの異なるシート部材１６２、１６４を、例えば接着剤や両面テープ等により２つ貼り合わせて形成されている。モータ１５４側に設けられる第１シート部材１６２は、筐体１４側に設けられる第２シート部材１６４よりも柔らかいものとする。第１シート部材１６２に柔らかい材料を用いることで、ノイズの発生源となるモータ１５４に緩衝部材１６０をフィットさせ、効果的にノイズを吸収させることができる。また、本実施形態のように、硬さの異なるシート部材１６２、１６４を貼り合わせることで、第１シート部材１６２と第２シート部材１６４との境界面において、ノイズを効果的に減衰させることができる。
【００４５】  例えば、このような緩衝部材１６０を設けた場合、緩衝部材１６０を設けない場合と比較すると、約１０００Ｈｚ以下の低周波数帯域では、光源ユニット１０から発生するノイズの大きさはほとんどかわらない。しかし、約２０００Ｈｚを超えると、緩衝部材１６０を設けない場合に発生するノイズが大きくなり、許容範囲を超えるようになったが、緩衝部材１６０を設けた場合に発生するノイズは許容範囲内に収まるようになった。
【００４６】  また、緩衝部材１６０を、第１シート部材１６２と同一の材料からすべて形成した場合、あるいは第２シート部材１６４と同一の材料からすべて形成した場合にも、本実施形態の２枚構造の場合よりはノイズが発生していたが、緩衝部材１６０を設けない場合よりもノイズは抑制される。さらに、モータ１５４側に硬いシート部材を用い、筐体１４側に柔らかいシート部材を用いた場合にも、本実施形態の２枚構造の場合よりはノイズが発生していたが、緩衝部材１６０を設けない場合よりもノイズは抑制される。
【００４７】  緩衝部材１６０を構成する第１シート部材１６２および第２シート部材１６４の硬度は、例えば、柔らかい第１シート部材１６２は３５〜４５度、硬い第２シート部材１６４は８０〜９０度（いずれもアスカーＣ硬度）程度としてもよい。また、第１シート部材１６２および第２シート部材１６４の厚さは特に限定されないが、例えば、同一の厚さとしてもよい。
【００４８】  なお、図８では、緩衝部材１６０は、２つのシート部材１６２、１６４を貼り合わせて形成したが、本開示はかかる例に限定されず、例えば複数のシート部材を重ね合わせて形成してもよい。この場合にも、少なくとも、モータ１５４と接するシート部材の硬さは、これに貼り合わされたシート部材より柔らかいものであればよい。また、緩衝部材１６０の厚みや各シート部材の硬さは、モータ１５４の背面とこれに対向する筐体１４との距離に応じて、モータ１５４の振動を適切に吸収できるように決定される。このとき、緩衝部材１６０全体の厚さは、モータ１５４の背面とこれに対向する筐体１４との距離よりも大きくすることで、緩衝部材１６０を隙間なく充填させることが容易となる。
【００４９】  ＜４．まとめ＞  以上、本開示の実施形態に係る画像表示装置１の光源ユニット１０における蛍光体ホイール１５０について説明した。本実施形態によれば、蛍光体ホイール１５０のモータの振動により発生する高周波数帯域のノイズを低減させるため、モータ１５４の背面とこれに対向する筐体１４との間に緩衝部材１６０を充填する。これにより、モータ１５４の振動が筐体１４へ伝播し難くなり、高周波数帯域のノイズを低減させることができる。緩衝部材１６０は、複数のシート部材を貼り合わせて形成してもよい。このとき、モータ１５４側のシート部材を、筐体１４側のシート部材よりも柔らかくすることで、より効果的にモータ１５４の振動を吸収することができる。
【００５０】  以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５１】  例えば、上記実施形態では、光源ユニット１０蛍光体ホイール１５０に緩衝部材１６０を設ける場合について説明したが、本技術はかかる例に限定されない。例えば、カラーホイール等に適用してもよい。
【００５２】  また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００５３】  なお、以下のような構成も本開示の技術的範囲に属する。（１）  表面に蛍光体材料を備えるホイール基板と、  前記ホイール基板を回転させる駆動部と、  前記駆動部を支持し、筐体に固定される支持部と、  前記支持部と前記筐体の一部との間の空間を充填するように設けられる緩衝部材と、からなる、蛍光体ホイール。（２）  前記緩衝部材は、前記支持部と前記筐体の一部との対向する方向に、異なる硬度のシート部材が複数積層されてなり、  前記シート部材のうち、前記支持部に接する第１のシート部材は、当該第１のシート部材に対して前記支持部と反対側において接する第２のシート部材よりも柔らかい、前記（１）に記載の蛍光体ホイール。（３）  前記支持部は、前記ホイール基板に対して光源からの光を導入させるレンズ部材を支持部するレンズ支持部と一体に形成されている、前記（１）または（２）に記載の蛍光体ホイール。（４）  前記緩衝部材は、前記駆動部の回転軸方向であって、前記ホイール基板と反対側に設けられる、前記（１）〜（３）のいずれか１項に記載の蛍光体ホイール。（５）  光源と、  前記光源から出射された光が照射されて異なる波長域の蛍光発光光を出射する蛍光体材料を備える蛍光体ホイールと、を備え、  前記蛍光体ホイールは、  表面に前記蛍光体材料を備えるホイール基板と、  前記ホイール基板を回転させる駆動部と、  前記駆動部を支持し、筐体に固定される支持部と、  前記支持部と前記筐体の一部との間の空間を充填するように設けられる緩衝部材と、からなる、光源ユニット。（６）  光源と、前記光源から出射された光が照射されて異なる波長域の蛍光発光光を出射する蛍光体材料を備える蛍光体ホイールと、を備える光源ユニットと、  前記光源ユニットから発せられた光束に基づき形成される画像を投影面上へ投射する光学系と、からなり、  前記光源ユニットの前記蛍光体ホイールは、  表面に前記蛍光体材料を備えるホイール基板と、  前記ホイール基板を回転させる駆動部と、  前記駆動部を支持し、筐体に固定される支持部と、  前記支持部と前記筐体の一部との間の空間を充填するように設けられる緩衝部材と、からなる、画像表示装置。
【符号の説明】
【００５４】  １        画像表示装置  １０      光源ユニット  １０Ａ    光源部  １０Ｂ    冷却部  １２ａ、１２ｂ  ホイール収容部  １２ｃ    レンズ支持部  １２ｄ    モータ支持部  １５０    蛍光体ホイール  １５１    ホイール基板  １５２    蛍光体材料  １５４    モータ  １６０    緩衝部材  １６２    第１シート部材  １６４    第２シート部材
【図１】
0006520942.tif 000002
【図２】
0006520942.tif 000003
【図３】
0006520942.tif 000004
【図４】
0006520942.tif 000005
【図５】
0006520942.tif 000006
【図６】
0006520942.tif 000007
【図７】
0006520942.tif 000008
【図８】
0006520942.tif 000009